(57)【要約】      （修正有）【課題】ユーザが所望する登記情報を的確に提供できる登記情報提供システム、登記情報提供方法及びプログラムを提供する。【解決手段】登記情報提供システムにおいて、サーバ１０には、筆ポリゴンデータ記憶部２０、送信要求受付部２２、地番特定部２４、判定部２６、地番再特定部２８、登記情報取得部３０、登記情報提供部３２、が含まれる。送信要求受付部２２は、端末の位置を示す位置情報を取得する。地番特定部２４は、位置と地番とが対応付けられているデータに基づいて、位置情報が示す位置に対応する地番を特定する。判定部２６は、特定される地番が長狭物の地番であるか否かを判定する。登記情報提供部３２は、特定される地番が長狭物の地番でないと判定される場合は、当該地番に存在する不動産の登記情報を提供し、特定される地番が長狭物の地番であると判定される場合は、当該地番の最近隣の地番に存在する不動産の登記情報を提供する。【選択図】図２
2020173712.tif 000002
【特許請求の範囲】
【請求項１】
端末の位置を示す位置情報を取得する位置情報取得手段と、
位置と地番とが対応付けられているデータに基づいて、前記位置情報が示す位置に対応する地番を特定する地番特定手段と、
特定される前記地番が長狭物の地番であるか否かを判定する判定手段と、
不動産の登記情報を前記端末に提供する登記情報提供手段と、を含み、
特定される前記地番が長狭物の地番でないと判定される場合は、前記登記情報提供手段は、当該地番に存在する不動産の登記情報を提供し、
特定される前記地番が長狭物の地番であると判定される場合は、前記登記情報提供手段は、当該地番の最近隣の地番に存在する不動産の登記情報を提供する、
ことを特徴とする登記情報提供システム。
【請求項２】
前記判定手段は、特定される前記地番に所定の文字が含まれるか否かに基づいて、当該地番が長狭物の地番であるか否かを判定する、
ことを特徴とする請求項１に記載の登記情報提供システム。
【請求項３】
前記判定手段は、特定される前記地番が表す文字列が０から始まるか否かに基づいて、当該地番が長狭物の地番であるか否かを判定する、
ことを特徴とする請求項１又は２に記載の登記情報提供システム。
【請求項４】
前記判定手段は、特定される前記地番がヌル値であるか否かに基づいて、当該地番が長狭物の地番であるか否かを判定する、
ことを特徴とする請求項１から３のいずれか一項に記載の登記情報提供システム。
【請求項５】
前記判定手段は、特定される前記地番の不動産の形状に基づいて、当該地番が長狭物の地番であるか否かを判定する、
ことを特徴とする請求項１から４のいずれか一項に記載の登記情報提供システム。
【請求項６】
前記登記情報提供手段は、前記データにおいて前記位置情報が示す位置に対応する地番が存在しない場合に、当該位置の最近隣に位置する地番に存在する不動産の登記情報を提供する、
ことを特徴とする請求項１から５のいずれか一項に記載の登記情報提供システム。
【請求項７】
前記端末が向く方角を示す方角情報を取得する方角情報取得手段、をさらに含み、
前記登記情報提供手段は、特定される前記地番が長狭物の地番であると判定される場合は、前記位置情報が示す位置から見て前記方角情報が示す方角に存在する不動産のうち、当該地番の最近隣の地番に存在する不動産の登記情報を提供する、
ことを特徴とする請求項１から６のいずれか一項に記載の登記情報提供システム。
【請求項８】
前記端末が向く方角を示す方角情報を取得する方角情報取得手段、をさらに含み、
前記登記情報提供手段は、前記データにおいて前記位置情報が示す位置に対応する地番が存在しない場合に、前記位置情報が示す位置から見て前記方角情報が示す方角に存在する不動産のうち、当該位置の最近隣に位置する地番に存在する不動産の登記情報を提供する、
ことを特徴とする請求項１から５のいずれか一項に記載の登記情報提供システム。
【請求項９】
位置情報取得手段が、端末の位置を示す位置情報を取得するステップと、
地番特定手段が、位置と地番とが対応付けられているデータに基づいて、前記位置情報が示す位置に対応する地番を特定するステップと、
判定手段が、特定される前記地番が長狭物の地番であるか否かを判定するステップと、
特定される前記地番が長狭物の地番でないと判定される場合に、登記情報提供手段が、当該地番に存在する不動産の登記情報を前記端末に提供するステップと、
特定される前記地番が長狭物の地番であると判定される場合に、前記登記情報提供手段が、当該地番の最近隣の地番に存在する不動産の登記情報を前記端末に提供するステップと、
を含むことを特徴とする登記情報提供方法。
【請求項１０】
端末の位置を示す位置情報を取得する手順、
位置と地番とが対応付けられているデータに基づいて、前記位置情報が示す位置に対応する地番を特定する手順、
特定される前記地番が長狭物の地番であるか否かを判定する手順、
特定される前記地番が長狭物の地番でないと判定される場合に、当該地番に存在する不動産の登記情報を前記端末に提供する手順、
特定される前記地番が長狭物の地番であると判定される場合に、当該地番の最近隣の地番に存在する不動産の登記情報を前記端末に提供する手順、
をコンピュータに実行させることを特徴とするプログラム。
【発明の詳細な説明】
【技術分野】
【０００１】
本発明は、登記情報提供システム、登記情報提供方法及びプログラムに関する。
【背景技術】
【０００２】
土地や家屋などといった不動産の登記情報は、財団法人民事法務協会によるインターネット登記情報提供サービスを利用することで閲覧できることが知られている。
【０００３】
また、特許文献１には、土地の登記簿の電子データなどが格納されている登記情報データベース、及び、地番の情報を含む検索要求を受け取った時に、当該地番の土地の所有者情報などを返す機能を備えた不動産登記情報提供サーバが記載されている。
【０００４】
また、特許文献２には、土地の地番とその土地の緯度、経度とが対応付けられている不動産情報データベースを検索し、撮影時の端末装置の位置を示す位置情報に対応する地番を抽出することが記載されている。
【先行技術文献】
【特許文献】
【０００５】
【特許文献１】特開２０１５−２２０６６号公報
【特許文献２】特開２０１５−３５０２２号公報
【発明の概要】
【発明が解決しようとする課題】
【０００６】
発明者は、所定の操作が行われた端末の位置に対応する地番の登記情報を当該端末に提供することを検討している。しかしここで特許文献１及び特許文献２に記載の技術を適用すると、ユーザが所望する登記情報が提供されないことがある。
【０００７】
例えば、登記情報を取得したい土地に立ち入ることができず、その土地に隣接する道路等の長狭物内でユーザが上述の所定の操作を行うと、当該長狭物に地番が割り当てられている場合には、所望の土地の地番ではなく、当該長狭物の地番がヒットしてしまう。
【０００８】
本発明は上記実情に鑑みてなされたものであって、その目的の一つは、ユーザが所望する登記情報を的確に提供できる登記情報提供システム、登記情報提供方法及びプログラムを提供することにある。
【課題を解決するための手段】
【０００９】
上記課題を解決するために、本発明に係る登記情報提供システムは、端末の位置を示す位置情報を取得する位置情報取得手段と、位置と地番とが対応付けられているデータに基づいて、前記位置情報が示す位置に対応する地番を特定する地番特定手段と、特定される前記地番が長狭物の地番であるか否かを判定する判定手段と、不動産の登記情報を前記端末に提供する登記情報提供手段と、を含み、特定される前記地番が長狭物の地番でないと判定される場合は、前記登記情報提供手段は、当該地番に存在する不動産の登記情報を提供し、特定される前記地番が長狭物の地番であると判定される場合は、前記登記情報提供手段は、当該地番の最近隣の地番に存在する不動産の登記情報を提供する。
【００１０】
本発明の一態様では、前記判定手段は、特定される前記地番に所定の文字が含まれるか否かに基づいて、当該地番が長狭物の地番であるか否かを判定する。
【００１１】
また、本発明の一態様では、前記判定手段は、特定される前記地番が表す文字列が０から始まるか否かに基づいて、当該地番が長狭物の地番であるか否かを判定する。
【００１２】
また、本発明の一態様では、前記判定手段は、特定される前記地番がヌル値であるか否かに基づいて、当該地番が長狭物の地番であるか否かを判定する。
【００１３】
また、本発明の一態様では、前記判定手段は、特定される前記地番の不動産の形状に基づいて、当該地番が長狭物の地番であるか否かを判定する。
【００１４】
また、本発明の一態様では、前記登記情報提供手段は、前記データにおいて前記位置情報が示す位置に対応する地番が存在しない場合に、当該位置の最近隣に位置する地番に存在する不動産の登記情報を提供する。
【００１５】
また、本発明の一態様では、前記端末が向く方角を示す方角情報を取得する方角情報取得手段、をさらに含み、前記登記情報提供手段は、特定される前記地番が長狭物の地番であると判定される場合は、前記位置情報が示す位置から見て前記方角情報が示す方角に存在する不動産のうち、当該地番の最近隣の地番に存在する不動産の登記情報を提供する。
【００１６】
また、本発明の一態様では、前記端末が向く方角を示す方角情報を取得する方角情報取得手段、をさらに含み、前記登記情報提供手段は、前記データにおいて前記位置情報が示す位置に対応する地番が存在しない場合に、前記位置情報が示す位置から見て前記方角情報が示す方角に存在する不動産のうち、当該位置の最近隣に位置する地番に存在する不動産の登記情報を提供する。
【００１７】
また、本発明に係る登記情報提供方法は、位置情報取得手段が、端末の位置を示す位置情報を取得するステップと、地番特定手段が、位置と地番とが対応付けられているデータに基づいて、前記位置情報が示す位置に対応する地番を特定するステップと、判定手段が、特定される前記地番が長狭物の地番であるか否かを判定するステップと、特定される前記地番が長狭物の地番でないと判定される場合に、登記情報提供手段が、当該地番に存在する不動産の登記情報を前記端末に提供するステップと、特定される前記地番が長狭物の地番であると判定される場合に、前記登記情報提供手段が、当該地番の最近隣の地番に存在する不動産の登記情報を前記端末に提供するステップと、を含む。
【００１８】
また、本発明に係るプログラムは、端末の位置を示す位置情報を取得する手順、位置と地番とが対応付けられているデータに基づいて、前記位置情報が示す位置に対応する地番を特定する手順、特定される前記地番が長狭物の地番であるか否かを判定する手順、特定される前記地番が長狭物の地番でないと判定される場合に、当該地番に存在する不動産の登記情報を前記端末に提供する手順、特定される前記地番が長狭物の地番であると判定される場合に、当該地番の最近隣の地番に存在する不動産の登記情報を前記端末に提供する手順、をコンピュータに実行させる。
【図面の簡単な説明】
【００１９】
【図１】本発明の一実施形態に係る登記情報提供システムの全体構成の一例を示す図である。
【図２】本発明の一実施形態に係るサーバで実装される機能の一例を示す機能ブロック図である。
【図３】筆ポリゴンデータの一例を示す図である。
【図４】本発明の一実施形態に係るサーバにおいて行われる処理の流れの一例を示すフロー図である。
【発明を実施するための形態】
【００２０】
以下、本発明の一実施形態について図面に基づき詳細に説明する。
【００２１】
図１は、本発明の一実施形態に係る登記情報提供システム１の全体構成の一例を示す図である。図１に示すように、登記情報提供システム１には、いずれもコンピュータを中心に構成されたサーバ１０、端末１２、及び、登記情報提供サービス１４が含まれている。サーバ１０、端末１２、登記情報提供サービス１４は、インターネットなどのコンピュータネットワーク１６に接続されており、サーバ１０、端末１２、登記情報提供サービス１４は互いに通信可能になっている。
【００２２】
本実施形態に係る登記情報提供サービス１４は、例えば一般財団法人民事法務協会などによる登記情報提供サービスを提供するコンピュータシステムである。登記情報提供サービス１４は、例えばサーバ１０等のコンピュータシステムからの要求に応じて、要求された不動産登記全部事項等の登記情報を当該コンピュータシステムに提供する。登記情報提供サービス１４は例えば、住所表記を表す文字列（例えば、都道府県から地番までを表す文字列）の受信に応じて、当該住所表記に対応する不動産の登記情報を提供する。
【００２３】
本実施形態に係るサーバ１０は、例えば、登記情報提供サービス１４にアクセスして、登記情報提供サービス１４から取得する不動産の登記情報を端末１２に提供するサーバコンピュータである。
【００２４】
図１に示すように、サーバ１０には、例えば、プロセッサ１０ａ、記憶部１０ｂ、通信部１０ｃが含まれている。
【００２５】
プロセッサ１０ａは、例えばＣＰＵ等のプログラム制御デバイスであって、記憶部１０ｂに記憶されたプログラムに従って各種の情報処理を実行する。
【００２６】
記憶部１０ｂは、例えばＲＯＭやＲＡＭ等の記憶素子やハードディスクドライブなどである。記憶部１０ｂには、プロセッサ１０ａによって実行されるプログラムなどが記憶される。
【００２７】
通信部１０ｃは、例えばコンピュータネットワーク１６を介して、端末１２や登記情報提供サービス１４などといったコンピュータとの間でデータを授受するための通信インタフェースである。
【００２８】
本実施形態に係る端末１２は、例えばタブレット端末やスマートフォンなどのコンピュータである。
【００２９】
図１に示すように、端末１２には、例えば、プロセッサ１２ａ、記憶部１２ｂ、通信部１２ｃ、タッチパネル１２ｄ、センサ部１２ｅ、が含まれている。
【００３０】
プロセッサ１２ａは、例えばＣＰＵ等のプログラム制御デバイスであって、記憶部１２ｂに記憶されたプログラムに従って各種の情報処理を実行する。
【００３１】
記憶部１２ｂは、例えばＲＯＭやＲＡＭ等の記憶素子やハードディスクドライブなどである。記憶部１２ｂには、プロセッサ１２ａによって実行されるプログラムなどが記憶される。
【００３２】
通信部１２ｃは、例えばコンピュータネットワーク１６を介して、サーバ１０などといったコンピュータとの間でデータを授受するための通信インタフェースである。
【００３３】
タッチパネル１２ｄは、例えばプロセッサ１２ａから入力される指示に従って情報を表示出力したり、ユーザが行った操作の内容をプロセッサ１２ａに出力したりする。
【００３４】
センサ部１２ｅは、例えば、ＧＰＳモジュール、加速度センサ、ジャイロセンサ、地磁気センサ、などのセンサを含んでおり、端末１２の位置及び方角の計測結果をプロセッサ１２ａに出力する。
【００３５】
図２は、本実施形態に係るサーバ１０で実装される機能の一例を示す機能ブロック図である。なお、本実施形態に係るサーバ１０で、図２に示す機能のすべてが実装される必要はなく、また、図２に示す機能以外の機能が実装されていても構わない。
【００３６】
図２に示すように、本実施形態に係るサーバ１０には、機能的には例えば、筆ポリゴンデータ記憶部２０、送信要求受付部２２、地番特定部２４、判定部２６、地番再特定部２８、登記情報取得部３０、登記情報提供部３２、が含まれる。
【００３７】
筆ポリゴンデータ記憶部２０は、記憶部１０ｂを主として実装される。送信要求受付部２２、登記情報取得部３０、登記情報提供部３２は、通信部１０ｃを主として実装される。地番特定部２４、判定部２６、地番再特定部２８は、プロセッサ１０ａを主として実装される。
【００３８】
以上の機能は、コンピュータであるサーバ１０にインストールされた、以上の機能に対応する指令を含むプログラムをプロセッサ１０ａで実行することにより実装されてもよい。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介してサーバ１０に供給されてもよい。
【００３９】
筆ポリゴンデータ記憶部２０は、本実施形態では例えば、地番と不動産（例えば土地）を表す地図上のポリゴンとを対応付けた筆ポリゴンデータを記憶する。
【００４０】
図３は、筆ポリゴンデータの一例を示す図である。図３に示すように、筆ポリゴンデータには、例えば、ＩＤ、Ｖ１コード、形状値データ、都道府県データ、市区町村データ、大字データ、字データ、地番データが含まれる。
【００４１】
筆ポリゴンデータに含まれるＩＤは、例えば、当該筆ポリゴンデータの識別情報である。
【００４２】
筆ポリゴンデータに含まれるＶ１コードは、例えば、当該筆ポリゴンデータが示す所在の識別情報である。本実施形態に係る所在とは、住所表記のうち、都道府県から丁目あるいは字までが示されている部分を指す。そして、本実施形態では、それぞれの所在には、当該所在の識別情報であるＶ１コードが一意に割り当てられている。
【００４３】
筆ポリゴンデータに含まれる形状値データは、例えば、不動産（例えば土地）を表す地図上のポリゴンを示すデータである。形状値データには、不動産を表す地図上のポリゴンに対応する数値が示されていてもよい。
【００４４】
筆ポリゴンデータに含まれる都道府県データは、例えば、当該筆ポリゴンデータに含まれる形状値データが示すポリゴンが属する都道府県の名称を示すデータである。
【００４５】
筆ポリゴンデータに含まれる市区町村データは、例えば、当該筆ポリゴンデータに含まれる形状値データが示すポリゴンが属する市区町村の名称を示すデータである。
【００４６】
筆ポリゴンデータに含まれる大字データは、例えば、当該筆ポリゴンデータに含まれる形状値データが示すポリゴンが属する町あるいは大字の名称を示すデータである。
【００４７】
筆ポリゴンデータに含まれる字データは、例えば、当該筆ポリゴンデータに含まれる形状値データが示すポリゴンが属する丁目あるいは字の名称を示すデータである。
【００４８】
筆ポリゴンデータに含まれる地番データは、例えば、当該筆ポリゴンデータに含まれる形状値データが示すポリゴンが属する地番を示すデータである。
【００４９】
本実施形態では、筆ポリゴンデータを参照した空間演算を実行することによって、特定の位置（例えば緯度及び経度）を含むポリゴン、及び、当該ポリゴンに対応する地番が特定できる。
【００５０】
送信要求受付部２２は、本実施形態では例えば、端末１２から送信される送信要求データを受け付ける。
【００５１】
本実施形態では、ユーザが端末１２に対して所定の登記情報表示操作を行うと、センサ部１２ｅは端末１２の位置及び端末１２が向く方角を計測する。そして、端末１２は、計測された端末１２の位置を示す位置情報及び端末１２が向く方角を示す方角情報を含む送信要求データを生成する。そして、端末１２は、生成された送信要求データをサーバ１０に送信する。そして送信要求受付部２２は、このようにして送信される送信要求データを取得する。当該位置情報は、例えば、端末１２の位置の緯度及び経度を示す情報である。
【００５２】
地番特定部２４は、本実施形態では例えば、筆ポリゴンデータと、送信要求データに含まれる位置情報と、に基づいて、当該位置情報が示す位置に対応する地番を特定する。地番特定部２４は、例えば、当該位置情報が示す位置を含むポリゴンを示す形状値データを特定し、当該形状値データを含む筆ポリゴンデータを特定し、当該筆ポリゴンデータに含まれる地番データが示す地番を特定する。
【００５３】
判定部２６は、本実施形態では例えば、地番特定部２４により特定される地番が長狭物の地番であるか否かを判定する。
【００５４】
ここで判定部２６は、特定される地番に所定の文字が含まれるか否かに基づいて、当該地番が長狭物の地番であるか否かを判定してもよい。例えば、特定される地番に所定の文字が含まれる場合に、当該地番が長狭物の地番であると判定されてもよい。具体的には例えば、地番データの値に「道」、「水」、「川」、「河」、「堤」、「Ｒ」、「Ｗ」、「無」、「路」、又は、「線」のいずれかが含まれる場合に、当該地番が長狭物の地番であると判定されてもよい。
【００５５】
図３に示されているＩＤが１９である筆ポリゴンデータに含まれる地番データの値は「水-S7205」である。また、図３に示されているＩＤが４１である筆ポリゴンデータに含まれる地番データの値は「道-R8037」である。このような地番データについては、長狭物の地番を示す地番データと判定される。
【００５６】
また判定部２６は、特定される地番が表す文字列が0から始まるか否かに基づいて、当該地番が長狭物の地番であるか否かを判定してもよい。例えば、特定される地番が表す文字列が0から始まる場合に、当該地番が長狭物の地番であると判定されてもよい。
【００５７】
また判定部２６は、特定される地番がヌル値であるか否かに基づいて、当該地番が長狭物の地番であるか否かを判定してもよい。例えば、特定される地番がヌル値である場合に、当該地番が長狭物の地番であると判定されてもよい。
【００５８】
また判定部２６は、特定される地番の不動産の形状に基づいて、当該地番が長狭物の地番であるか否かを判定してもよい。例えば、特定される形状値データが示すポリゴンの形状に基づいて、当該地番が長狭物の地番であるか否かが判定されてもよい。例えば、形状値データが示すポリゴンの形状の縦横比が所定値よりも大きい場合に、当該地番が長狭物の地番であると判定されてもよい。また例えば、形状値データが示すポリゴンの面積及び周長が特定されてもよい。そして当該面積の平方根を当該周長の二乗で割った値が０．１３１よりも大きい場合に、当該地番が長狭物の地番であると判定されてもよい。
【００５９】
地番再特定部２８は、本実施形態では例えば、特定される地番が長狭物の地番であると判定される場合に、当該地番の最近隣の地番を特定する。
【００６０】
例えば、地番再特定部２８は、空間演算を実行することで地番特定部２４により特定される形状値データが示すポリゴンの再近隣のポリゴンを特定し、当該ポリゴンを示す形状値データを含む筆ポリゴンデータを特定する。そして地番再特定部２８は、当該筆ポリゴンデータに含まれる地番データが示す地番を特定する。
【００６１】
また、地番再特定部２８は、特定される地番が長狭物の地番であると判定される場合に、送信要求データに含まれる位置情報及び方角情報を特定してもよい。そして、地番再特定部２８は、当該位置情報が示す位置から見て当該方角情報が示す方角に存在する地番のうち、地番特定部２４により特定される地番の最近隣の地番を特定してもよい。
【００６２】
例えば、地番再特定部２８は、空間演算を実行することで位置情報が示す位置から見て方角情報が示す方角に存在するポリゴンを特定する。そして地番再特定部２８は、特定されたポリゴンのうちから、地番特定部２４により特定される形状値データが示すポリゴンの再近隣のポリゴンを示す形状値データを特定し、当該形状値データを含む筆ポリゴンデータを特定する。そして地番再特定部２８は、当該筆ポリゴンデータに含まれる地番データが示す地番を特定する。
【００６３】
地番再特定部２８は、位置情報が示す位置に対応する地番が存在せず、地番特定部２４が地番を特定できない場合に、当該位置の最近隣に位置する地番を特定してもよい。
【００６４】
例えば、地番再特定部２８は、空間演算を実行することで位置情報が示す位置の再近隣に位置するポリゴンを特定し、当該ポリゴンを示す形状値データを含む筆ポリゴンデータを特定する。そして地番再特定部２８は、当該筆ポリゴンデータに含まれる地番データが示す地番を特定する。
【００６５】
またこの場合、送信要求データに含まれる位置情報が示す位置から見て送信要求データに含まれる方角情報が示す方角に存在する地番のうち、当該位置の最近隣に位置する地番が特定されてもよい。
【００６６】
例えば、地番再特定部２８は、空間演算を実行することで位置情報が示す位置から見て方角情報が示す方角に存在するポリゴンを特定する。そして地番再特定部２８は、特定されたポリゴンのうちから、位置情報が示す位置の再近隣に位置するポリゴンを示す形状値データを特定し、当該形状値データを含む筆ポリゴンデータを特定する。そして地番再特定部２８は、当該筆ポリゴンデータに含まれる地番データが示す地番を特定する。
【００６７】
登記情報取得部３０は、本実施形態では例えば、登記情報を取得する。ここで登記情報取得部３０は、登記情報提供サービス１４にアクセスして、登記情報提供サービス１４から登記情報を取得してもよい。
【００６８】
登記情報取得部３０は、特定される地番が長狭物の地番でないと判定される場合は、地番特定部２４により特定される地番に存在する不動産の登記情報を取得する。この場合は、登記情報取得部３０は、例えば、地番特定部２４が特定する筆ポリゴンデータに含まれる都道府県データ、市区町村データ、大字データ、字データ、及び、地番データに示されている文字列を連結した住所表記文字列を生成する。例えばＩＤが１である筆ポリゴンデータについては、「愛媛県今治市馬越町１丁目甲71-3」との住所表記文字列が生成される。ここで正規化処理が併せて実行され、「愛媛県今治市馬越町1-甲71-3」との住所表記文字列が生成されてもよい。
【００６９】
そして登記情報取得部３０は、生成された住所表記文字列を登記情報提供サービス１４に送信する。すると、登記情報提供サービス１４は、送信された住所表記文字列に対応する登記情報をサーバ１０に送信する。そして登記情報取得部３０は、登記情報提供サービス１４から送信された登記情報を受信する。
【００７０】
また、登記情報取得部３０は、特定される地番が長狭物の地番であると判定される場合は、地番再特定部２８により特定される地番に存在する不動産の登記情報を取得する。この場合は、登記情報取得部３０は、例えば、地番再特定部２８により特定される筆ポリゴンデータに含まれる都道府県データ、市区町村データ、大字データ、字データ、及び、地番データに示されている文字列を連結した住所表記文字列を生成する。ここで上述の正規化処理が併せて実行されてもよい。
【００７１】
そして登記情報取得部３０は、生成された住所表記文字列を登記情報提供サービス１４に送信する。すると、登記情報提供サービス１４は、送信された住所表記文字列に対応する登記情報をサーバ１０に送信する。そして登記情報取得部３０は、登記情報提供サービス１４から送信された登記情報を受信する。
【００７２】
登記情報提供部３２は、本実施形態では例えば、特定される地番が長狭物の地番でないと判定される場合は、当該地番に存在する不動産の登記情報を端末１２に提供する。また、登記情報提供部３２は、本実施形態では例えば、特定される地番が長狭物の地番であると判定される場合は、当該地番の最近隣の地番に存在する不動産の登記情報を端末１２に提供する。ここで端末１２から送信される送信要求データに含まれる位置情報が示す位置から見て当該送信要求データに含まれる方角情報が示す方角に存在する不動産のうち、当該地番の最近隣の地番に存在する不動産の登記情報が端末１２に提供されてもよい。
【００７３】
また、登記情報提供部３２は、端末１２から送信される送信要求データに含まれる位置情報が示す位置に対応する地番が存在しない場合に、当該位置の最近隣の地番に存在する不動産の登記情報を提供してもよい。あるいはこの場合に、登記情報提供部３２は、位置情報が示す位置から見て方角情報が示す方角に存在する不動産のうち、当該位置の最近隣に位置する地番に存在する不動産の登記情報を提供してもよい。
【００７４】
登記情報提供部３２は、例えば、登記情報取得部３０が取得する登記情報を端末１２に送信する。そして、端末１２は、当該登記情報を受信して、当該登記情報をタッチパネル１２ｄに表示させる。
【００７５】
以下、本実施形態に係るサーバ１０において行われる処理の流れの一例を、図４に例示するフロー図を参照しながら説明する。
【００７６】
まず、送信要求受付部２２が、端末１２から送信される送信要求データを受信する（Ｓ１０１）。
【００７７】
そして、地番特定部２４が、Ｓ１０１に示す処理で受信した送信要求データに含まれる位置情報に基づいて、当該位置情報が示す位置に対応する地番を特定する（Ｓ１０２）。
【００７８】
そして、判定部２６が、Ｓ１０２に示す処理で地番が特定されたか否かを確認する（Ｓ１０３）。
【００７９】
地番が特定されたことが確認された場合は（Ｓ１０３：Ｙ）、判定部２６は、Ｓ１０２に示す処理で特定された地番が長狭物の地番であるか否かを判定する（Ｓ１０４）。
【００８０】
地番が特定されなかったことが確認された場合（Ｓ１０３：Ｎ）、又は、長狭物の地番であると判定された場合は（Ｓ１０４：Ｙ）、地番再特定部２８が、地番の再特定を行う（Ｓ１０５）。地番が特定されなかったことが確認された場合については、地番再特定部２８は、Ｓ１０１に示す処理で受信した送信要求データに含まれる位置情報が示す位置の再近隣に位置する地番を特定する。長狭物の地番であると判定された場合については、地番再特定部２８は、Ｓ１０２に示す処理で特定された地番の再近隣の地番を特定する。
【００８１】
そして、登記情報取得部３０は、提供すべき登記情報を取得する（Ｓ１０６）。Ｓ１０４に示す処理で長狭物の地番でないと判定された場合は、登記情報取得部３０は、Ｓ１０２に示す処理で特定された地番に存在する不動産の登記情報を取得する。Ｓ１０５に示す処理が実行された場合は、登記情報取得部３０は、Ｓ１０５に示す処理で特定された地番に存在する不動産の登記情報を取得する。
【００８２】
そして、登記情報提供部３２が、Ｓ１０６に示す処理で取得された登記情報を端末１２に送信して（Ｓ１０７）、本処理例に示す処理は終了される。端末１２はＳ１０７に示す処理で送信された登記情報を受信して、当該登記情報をタッチパネル１２ｄに表示させる。
【００８３】
Ｓ１０４に示す処理では例えば、Ｓ１０２に示す処理で特定された地番が以下の（１）〜（４）のいずれかの条件を満たす場合に、Ｓ１０２に示す処理で特定された地番が長狭物の地番であると判定されてもよい。
【００８４】
（１）「道」、「水」、「川」、「河」、「堤」、「Ｒ」、「Ｗ」、「無」、「路」、又は、「線」のいずれかを含む
【００８５】
（２）0から始まる
【００８６】
（３）ヌル値である
【００８７】
（４）対応するポリゴンの面積の平方根を当該ポリゴンの周長の二乗で割った値が０．１３１よりも大きい
【００８８】
本実施形態において、特定される地番が長狭物の地番であると判定される場合に、当該地番の最近隣の、長狭物の地番ではない地番に存在する不動産の登記情報が提供されてもよい。
【００８９】
また、地番再特定部２８が地番を特定した際に、判定部２６が、当該地番が長狭物の地番であるか否かを判定してもよい。そして、長狭物の地番であると判定される場合に、地番再特定部２８がさらなる地番の再特定を行ってもよい。
【００９０】
以上で説明したように、本実施形態では、登記情報を取得したい土地などの不動産内においてユーザが登記情報表示操作を行うと、この不動産の登記情報が表示される。一方で、道路などの長狭物内においてユーザが登記情報表示操作を行うと、端末１２の位置の再近隣の不動産の登記情報が表示される。
【００９１】
登記情報を取得したい不動産に立ち入ることができないことがある。このような場合でも、本実施形態では、この不動産に隣接する道路などの長狭物内においてユーザが登記情報表示操作を行うと、この長狭物に地番が割り当てられていても、所望の不動産の登記情報が表示される。
【００９２】
このようにして本実施形態によれば、ユーザが所望する登記情報を的確に提供できることとなる。
【００９３】
また上述のように、地番特定部２４が特定する地番が長狭物の地番であると判定される場合に、端末１２の位置から見て端末１２が向く方角に存在する不動産のうち、地番特定部２４が特定する地番の最近隣の地番に存在する不動産の登記情報が提供されてもよい。あるいは、筆ポリゴンデータにおいて端末１２の位置に対応する地番が存在しない場合に、端末１２の位置から見て端末１２が向く方角に存在する不動産のうちから、当該位置の最近隣に位置する地番に存在する不動産の登記情報が提供されてもよい。
【００９４】
このようにすれば、例えば登記情報を取得したい不動産に端末１２を向けることで、ユーザが所望する登記情報をより的確に提供できることとなる。
【００９５】
なお、本発明は上述の実施形態に限定されるものではない。
【００９６】
例えば、長狭物の地番であるか否かの判定条件は上記のものに限定されない。
【００９７】
また例えばサーバ１０と端末１２の役割分担は上述のものに限定されない。サーバ１０の機能の一部又は全部が端末１２で実装されていてもよい。
【００９８】
またサーバ１０の記憶部１０ｂに、登記情報が記憶されていてもよい。そしてサーバ１０が、記憶部１０ｂに記憶されている登記情報を端末１２に送信してもよい。また端末１２の記憶部１２ｂに登記情報が記憶されていてもよい。そして記憶部１２ｂに記憶されている登記情報を端末１２がタッチパネル１２ｄに表示させてもよい。
【００９９】
また上述の具体的な文字列や数値、並びに、図面中の具体的な文字列は例示であり、これらの文字列や数値には限定されない。
【符号の説明】
【０１００】
１  登記情報提供システム、１０  サーバ、１０ａ  プロセッサ、１０ｂ  記憶部、１０ｃ  通信部、１２  端末、１２ａ  プロセッサ、１２ｂ  記憶部、１２ｃ  通信部、１２ｄ  タッチパネル、１２ｅ  センサ部、１４  登記情報提供サービス、１６  コンピュータネットワーク、２０  筆ポリゴンデータ記憶部、２２  送信要求受付部、２４  地番特定部、２６  判定部、２８  地番再特定部、３０  登記情報取得部、３２  登記情報提供部。
【図１】
2020173712.tif 000003
【図２】
2020173712.tif 000004
【図３】
2020173712.tif 000005
【図４】
2020173712.tif 000006